(57)【要約】【課題】高級感を損なうことなく、押し釦によって覆われた部分を有効に活用することができる水栓装置を提供する。【解決手段】本発明は、押し釦により吐水、止水を切り替える水栓装置（１）であって、押圧操作により開閉される開閉バルブユニット（１６）と、この開閉バルブユニットを収納する水栓装置本体（２）と、この水栓装置本体に固定される押し釦支持部材（２０）と、この押し釦支持部材の一部を覆うように、押し釦支持部材に回動可能に取り付けられ、開閉バルブユニットを押圧する押し釦（４、６）と、この押し釦によって覆われる位置に配置され、押し釦支持部材を水栓装置本体に固定する固定手段（２６）と、この押し釦と係合するように所定の位置に取り付けられ、押し釦の回動可能範囲を規制することにより、押し釦が大きく回動されることによる固定手段の露出を防止する角度規制部材（２４）と、を有することを特徴としている。【選択図】図２
2009030315.tif 000002
【特許請求の範囲】
【請求項１】
押し釦の押圧操作により吐水状態と止水状態を切り替える水栓装置であって、
押圧操作により開閉される開閉バルブユニットと、
この開閉バルブユニットを収納する水栓装置本体と、
この水栓装置本体に固定される押し釦支持部材と、
この押し釦支持部材の少なくとも一部を覆うように、上記押し釦支持部材に対して回動可能に取り付けられ、使用者の操作により上記開閉バルブユニットを押圧するための押し釦と、
この押し釦によって覆われる位置に配置され、上記押し釦支持部材を上記水栓装置本体に固定する固定手段と、
この押し釦と係合するように所定の位置に取り付けられ、上記押し釦の回動可能範囲を規制することにより、上記押し釦が大きく回動されることによる上記固定手段の露出を防止する角度規制部材と、
を有することを特徴とする水栓装置。
【請求項２】
上記角度規制部材は、上記押し釦と係合された状態で上記押し釦の回動方向に押し込まれることにより、上記押し釦支持部材にスナップ止めされる請求項１記載の水栓装置。
【請求項３】
上記角度規制部材は、第１位置と第２位置の間で移動可能に、上記押し釦支持部材に取り付けられ、上記第１位置においては、上記水栓装置本体から引き上げられる引き上げ方向の上記押し釦の回動が規制され、上記第２位置においては、上記引き上げ方向に加え、上記水栓装置本体に押し込まれる方向の上記押し釦の回動が規制されることにより、上記押し釦の押圧操作が規制される請求項１又は２記載の水栓装置。
【請求項４】
押し釦の押圧操作により吐水状態と止水状態を切り替える水栓装置の製造方法であって、
水栓装置本体を準備する段階と、
この水栓装置本体に開閉バルブユニットを収納し、固定する段階と、
使用者の操作により上記開閉バルブユニットを押圧するための押し釦が回動可能に取り付けられた押し釦支持部材を準備する段階と、
この押し釦支持部材の取付部が露出される位置まで上記押し釦を回動させた状態で、上記押し釦支持部材を上記水栓装置本体に固定する段階と、
上記押し釦の係合部と係合して、上記押し釦の回動可能範囲を規制する角度規制部材を準備する段階と、
上記角度規制部材と上記押し釦の係合部を係合させた状態で、上記取付部が上記押し釦によって覆われる位置まで上記押し釦を回動させ、上記角度規制部材と上記押し釦支持部材をスナップ止めする段階と、
を有することを特徴とする水栓装置の製造方法。
【発明の詳細な説明】
【技術分野】
【０００１】
本発明は、水栓装置に関し、特に、押し釦の押圧操作により吐水状態と止水状態を切り替える水栓装置及びその製造方法に関する。
【背景技術】
【０００２】
特開２００５−１７９９１５号公報（特許文献１）には、水栓装置が記載されている。この水栓装置は、シャワー用、スパウト用の押し釦を適宜押圧操作することにより、シャワーヘッド又はスパウトから吐水させることができるように構成されている。また、この水栓装置では、各押し釦が、押し釦を支持するための押し釦支持部材に回動可能に取り付けられており、この押し釦支持部材を水栓装置本体にビス止めすることにより、押し釦が水栓装置本体に取り付けられている。
【０００３】
【特許文献１】特開２００５−１７９９１５号公報
【発明の開示】
【発明が解決しようとする課題】
【０００４】
しかしながら、特開２００５−１７９９１５号公報記載の水栓装置のように、押し釦を支持する押し釦支持部材を水栓装置本体にビス止めすると、その固定用のビスの頭が水栓装置の外に露出し、水栓装置の外観が悪くなるという問題がある。また、操作性を改善するために、押し釦を大きく構成した場合には、押し釦支持部材が外部に露出する面積が少なくなり、押し釦支持部材を外部から固定すること自体が難しくなるという問題がある。
【０００５】
一方、水栓装置の押し釦を大きく構成した場合には、押し釦によって覆われる面積が必然的に大きくなる。従って、押し釦を開いて、押し釦によって覆われた部分を露出させることができるように水栓装置を構成することにより、この露出された部分を水栓装置のメンテナンスや、押し釦の取付機構に有効に活用することが可能になる。しかしながら、使用時において押し釦が偶発的に開いて、水栓装置の内部が露出してしまうと、水栓装置の高級感が著しく損なわれるという問題がある。
従って、本発明は、高級感を損なうことなく、押し釦によって覆われた部分を有効に活用することができる水栓装置及びその製造方法を提供することを目的としている。
【課題を解決するための手段】
【０００６】
上述した課題を解決するために、本発明は、押し釦の押圧操作により吐水状態と止水状態を切り替える水栓装置であって、押圧操作により開閉される開閉バルブユニットと、この開閉バルブユニットを収納する水栓装置本体と、この水栓装置本体に固定される押し釦支持部材と、この押し釦支持部材の少なくとも一部を覆うように、押し釦支持部材に対して回動可能に取り付けられ、使用者の操作により開閉バルブユニットを押圧するための押し釦と、この押し釦によって覆われる位置に配置され、押し釦支持部材を水栓装置本体に固定する固定手段と、この押し釦と係合するように所定の位置に取り付けられ、押し釦の回動可能範囲を規制することにより、押し釦が大きく回動されることによる固定手段の露出を防止する角度規制部材と、を有することを特徴としている。
【０００７】
このように構成された本発明においては、水栓装置本体に開閉バルブユニットが収納されている。使用者の操作により開閉バルブユニットを押圧するための押し釦は、押し釦支持部材に対して回動可能に取り付けられている。押し釦支持部材は、押し釦によって覆われる位置に配置された固定手段により、水栓装置本体に固定される。角度規制部材は、押し釦と係合するように所定の位置に取り付けられ、押し釦の回動可能範囲を規制することにより、押し釦が大きく回動されることによる固定手段の露出を防止する。
【０００８】
このように構成された本発明によれば、押し釦支持部材に回動可能に取り付けられた押し釦の回動範囲を角度規制部材によって規制するので、押し釦によって覆われる部分に固定手段を配置することを可能にしながら、押し釦が大きく回動されることにより、水栓装置の内部が露出され、固定手段が露出されるのを防止することができる。
【０００９】
本発明において、好ましくは、角度規制部材は、押し釦と係合された状態で押し釦の回動方向に押し込まれることにより、押し釦支持部材にスナップ止めされる。
このように構成された本発明によれば、押し釦を、押圧して押し込む方向に回動させることにより、角度規制部材を、容易に押し釦支持部材にスナップ止めすることができる。
【００１０】
本発明において、好ましくは、角度規制部材は、第１位置と第２位置の間で移動可能に、押し釦支持部材に取り付けられ、第１位置においては、水栓装置本体から引き上げられる引き上げ方向の押し釦の回動が規制され、第２位置においては、引き上げ方向に加え、水栓装置本体に押し込まれる方向の押し釦の回動が規制されることにより、押し釦の押圧操作が規制される。
このように構成された本発明によれば、角度規制部材を使用して、水栓装置の内部が露出されるのを防止すると共に、押し釦の誤操作を防止することができる。
【００１１】
また、本発明は、押し釦の押圧操作により吐水状態と止水状態を切り替える水栓装置の製造方法であって、水栓装置本体を準備する段階と、この水栓装置本体に開閉バルブユニットを収納し、固定する段階と、使用者の操作により開閉バルブユニットを押圧するための押し釦が回動可能に取り付けられた押し釦支持部材を準備する段階と、この押し釦支持部材の取付部が露出される位置まで押し釦を回動させた状態で、押し釦支持部材を水栓装置本体に固定する段階と、押し釦の係合部と係合して、押し釦の回動可能範囲を規制する角度規制部材を準備する段階と、角度規制部材と押し釦の係合部を係合させた状態で、取付部が押し釦によって覆われる位置まで押し釦を回動させ、角度規制部材と押し釦支持部材をスナップ止めする段階と、を有することを特徴としている。
【発明の効果】
【００１２】
従って、本発明の水栓装置及びその製造方法によれば、高級感を損なうことなく、押し釦によって覆われた部分を有効に活用することができる。
【発明を実施するための最良の形態】
【００１３】
次に、添付図面を参照して、本発明の好ましい実施形態を説明する。
まず、図１乃至図７を参照して、本発明の実施形態による水栓装置を説明する。図１は、本実施形態による水栓装置全体を示す斜視図である。また、図２は本実施形態の水栓装置の止水状態における断面図であり、図３は吐水状態における断面図である。図４は、押し釦を水栓装置本体から取り外した状態を示す分解斜視図である。図５は、ロック部材と押し釦の係合部の構成を示す斜視図である。
【００１４】
図１に示すように、本発明の実施形態による水栓装置１は、壁面Ｗに取り付けられた水栓装置本体２と、この水栓装置本体２に取り付けられたシャワー吐水用押し釦４及びスパウト吐水用押し釦６と、水栓装置本体２の両側面に設けられた温度設定用つまみ８及び流量調整用つまみ１０と、を有する。また、水栓装置本体２の、各押し釦の下方にはスパウト吐水用吐水口１２が設けられ、水栓装置本体２の側面にはシャワーホースが接続されるシャワー吐水用吐水口１４が設けられている。さらに、水栓装置本体２の前部中央には、誤操作防止用のロック用つまみ２４ａが設けられている。
【００１５】
本実施形態の水栓装置１は、シャワー吐水用押し釦４が押圧操作されると、供給された湯及び水が内蔵されたサーモユニットで適温に混合され、混合された湯水が、内蔵された流量調整弁を通ってシャワー吐水用吐水口１４から吐水されるように構成されている。同様に、スパウト吐水用押し釦６が押圧操作されると、適温に混合され、流調調整された湯水が、スパウト吐水用吐水口１２から吐水されるように構成されている。また、混合される湯水の温度は、温度設定用つまみ８を操作することによって設定され、吐水される湯水の流量は、流量調整用つまみ１０によって設定されるように構成されている。さらに、ロック用つまみ２４ａを操作することにより、シャワー吐水用押し釦４及びスパウト吐水用押し釦６をロックし、偶発的な押圧操作を防止できるように構成されている。
【００１６】
図２乃至図５に示すように、水栓装置本体２は、内部に通水路が形成された金属部分と、これを覆う断熱カバーにより構成されている。水栓装置本体２の金属部分には、供給された湯及び水を設定温度に混合するサーモユニット８ａと、流量調整弁（図示せず）が収容されている。また、水栓装置本体２には、そのバルブ収容部２ａに収容されたシャワー吐水用の開閉バルブユニット１６及びスパウト吐水用の開閉バルブユニット（図示せず）と、各開閉バルブユニットを水栓装置本体２に固定するバルブ押さえ１８が内蔵されている。さらに、水栓装置本体２には、シャワー吐水用押し釦４及びスパウト吐水用押し釦６が回動可能に取り付けられた押し釦支持部材２０と、この押し釦支持部材２０によって摺動可能に支持されたプッシャー２２が内蔵されている。また、押し釦支持部材２０の前端部には、角度規制部材であるロック部材２４が、水平方向に摺動可能に取り付けられている。
【００１７】
シャワー吐水用押し釦４は概ね正方形板状の部材であり、その上端がシャフト４ａによって押し釦支持部材２０の後端部に取り付けられている。これにより、シャワー吐水用押し釦４は、水栓装置本体２に対して、所定の回動軸線であるシャフト４ａの軸線を中心に回動可能に配置される。なお、シャワー吐水用押し釦４及びスパウト吐水用押し釦６の、押し釦支持部材２０に対する回動可能範囲は十分に広く、各押し釦を開くことにより水栓装置本体２の内部が大きく露出されるように構成されている。
【００１８】
さらに、シャワー吐水用押し釦４の裏面には、概ね三角形板状の当接部４ｂが形成されている。この当接部４ｂは、円弧状に丸くなった先端の角がシャワー吐水用押し釦４の背面側に突出するように設けられており、この当接部４ｂの先端がプッシャー２２の当接面２２ａに接触するように構成されている。なお、図２、図３には図示されていないが、スパウト吐水用押し釦６も同様に構成されている。
【００１９】
また、シャワー吐水用押し釦４の裏面前端部には、２つの係合部４ｃが設けられている（図５）。この係合部４ｃは、シャワー吐水用押し釦４の裏面から下方に延びる概ねＬ字形の突起であり、Ｌ字形の水平部分が前方に突出するように形成されている。同様に、スパウト吐水用押し釦６にも２つの係合部が設けられている。
【００２０】
サーモユニット８ａは、水栓装置本体２の前部に収容されており、水栓装置本体２に流入した湯及び水を混合して、温度設定用つまみ８によって設定された温度の湯水として流出させるように構成されている。サーモユニット８ａから流出した湯水は、流量調整弁（図示せず）に流入し、流量調整用つまみ１０によって設定された流量に調整される。流量調整弁（図示せず）によって流量調整された湯水は、シャワー吐水用又はスパウト吐水用の開閉バルブユニットに流入するように構成されている。
【００２１】
開閉バルブユニット１６は概ね円柱状の部品であり、水栓装置本体２のバルブ収容部２ａに収容されている。開閉バルブユニット１６を収容した状態で、円筒状のバルブ押さえ１８をバルブ収容部２ａの入口部に螺合させることにより、開閉バルブユニット１６はバルブ収容部２ａ内に固定される。開閉バルブユニット１６の先端部には、円柱状の操作部１６ａが設けられており、この操作部１６ａが押圧操作される毎に、開閉バルブユニット１６は開閉される。即ち、操作部１６ａは開閉バルブユニット１６の閉状態（止水状態）では引っ込んだ位置に、開状態（吐水状態）では突出した位置に移動される。
【００２２】
押し釦支持部材２０は、上方が開放した箱状の部材であり、水栓装置本体２の内部に配置され、その全体がシャワー吐水用押し釦４及びスパウト吐水用押し釦６によって覆われるように構成されている。また、押し釦支持部材２０の後部上端の縁には、シャフト４ａが取り付けられ、シャワー吐水用押し釦４を回動可能に支持している。同様に、スパウト吐水用押し釦６も、押し釦支持部材２０によって回動可能に支持されている。さらに、押し釦支持部材２０の後ろ側の側面には、プッシャー２２を摺動可能に支持するガイド円筒２０ａが設けられている。また、ガイド円筒２０ａは、スパウト吐水用の開閉バルブユニット（図示せず）に対応する位置にも設けられている。
【００２３】
プッシャー２２は、端面が斜めに切断された円柱状の部材であり、押し釦支持部材２０のガイド円筒２０ａの中に摺動可能に受け入れられている。また、プッシャー２２の両側の側面には、線状の突起（図示せず）が形成されており、これらの突起は、ガイド円筒２０ａの内側に形成された線状のガイド溝２０ｂに受け入れられている。さらに、プッシャー２２先端の斜めに切断された端面は、シャワー吐水用押し釦４の背面から突出している当接部４ｂと当接する当接面２２ａを構成する。この当接面２２ａは、シャフト４ａに近い側において、中心軸線Ａ方向の高さが低くなるように傾斜した平面として構成されている。
【００２４】
ロック部材２４は、図５に示すように、水栓装置本体２の前方に突出するロック用つまみ２４ａと、このロック用つまみ２４ａがほぼ中央に設けられ、水平方向に延びる横棒部２４ｂと、この横棒部２４ｂの上面から鉛直上方に延びる４本の縦棒部２４ｃと、を有する。各縦棒部２４ｃの中間部には、シャワー吐水用押し釦４の係合部４ｃ、及びスパウト吐水用押し釦６の係合部６ｃを受け入れるための係合部受け凹部２４ｄが夫々設けられている。さらに、各縦棒部２４ｃの先端には、水平方向に延びる角度規制突起２４ｅが夫々設けられている。
【００２５】
また、横棒部２４ｂの底面には、ロック部材２４を、押し釦支持部材２０に摺動可能に取り付けるための６つのスナップ止め突起２４ｆが設けられている。各スナップ止め突起２４ｆは、鉛直下方に突出する概ねＬ字形の突起である。これらのスナップ止め突起２４ｆは、ロック部材２４の横棒部２４ｂの底面を押し釦支持部材２０に押し付けることにより、弾性変形されながら押し釦支持部材２０の底面に設けられた２本の長穴２０ｃ（図７）に受け入れられるように構成されている。各スナップ止め突起２４ｆは、押し釦支持部材２０の長穴２０ｃに一旦受け入れられると、Ｌ字形の先端部が長穴２０ｃの縁に係合し、長穴２０ｃから容易に抜けないように構成されている。これにより、ロック部材２４は押し釦支持部材２０にスナップ止めされる。また、ロック部材２４は、押し釦支持部材２０にスナップ止めされた状態においても、長穴２０ｃが延びる横方向には摺動可能である。即ち、ロック部材２４は、第１位置である非ロック位置と第２位置であるロック位置との間で移動可能に、押し釦支持部材２０に取り付けられる。
【００２６】
次に、図６及び図７を新たに参照して、本発明の実施形態による水栓装置の組立手順を説明する。図６は、ロック部材２４を押し釦支持部材２０にスナップ止めする際の状態を示す斜視図である。また、図７は、ロック部材２４がスナップ止めされた押し釦支持部材２０を、水栓装置本体２から取り出した状態で示す斜視図である。
【００２７】
本実施形態による水栓装置１を組み立てるには、まず、水栓装置本体２の金属部分に、サーモユニット８ａ、流量調整弁（図示せず）等を取り付ける。さらに、シャワー吐水用及びスパウト吐水用の開閉バルブユニットを、夫々、水栓装置本体２のバルブ収容部２ａに挿入し、バルブ押さえ１８によって夫々固定する。次いで、水栓装置本体２の金属部分に、断熱カバーを取り付ける。
【００２８】
次に、図４に示すように、押し釦支持部材２０に、シャワー吐水用押し釦４及びスパウト吐水用押し釦６を回動可能に取り付けたものを準備する。次いで、各押し釦が取り付けられた押し釦支持部材２０を、図５に示すように、水栓装置本体２の所定の位置に落とし込む。この状態においては、シャワー吐水用押し釦４及びスパウト吐水用押し釦６の回動可能範囲は十分に広く、各押し釦を引き上げるように回動させると、押し釦支持部材２０の内部が露出される。
【００２９】
次に、押し釦支持部材２０の内部を露出させた状態で、固定手段である２本のビス２６を、押し釦支持部材２０の底面に設けられた取付部である２つの固定用孔２０ｄ（図４）に通し、水栓装置本体２に設けられた２つの雌ねじ穴２ｂに螺合させる。これにより、シャワー吐水用押し釦４及びスパウト吐水用押し釦６は、押し釦支持部材２０を介して水栓装置本体２に回動可能に固定される。
【００３０】
次に、図６に示すように、ロック部材２４を準備し、これを、シャワー吐水用押し釦４及びスパウト吐水用押し釦６の裏面に設けられた各係合部４ｃ、６ｃの先端が、ロック部材２４の各係合部受け凹部２４ｄに受け入れられるようにセットする。この状態を維持したまま、シャワー吐水用押し釦４及びスパウト吐水用押し釦６を押し下げるように回動させることにより、ロック部材２４の横棒部２４ｂの底面が、押し釦支持部材２０に押し付けられる。シャワー吐水用押し釦４及びスパウト吐水用押し釦６を適度な力で押し下げることにより、横棒部２４ｂの底面に設けられたスナップ止め突起２４ｆが、弾性変形されながら押し釦支持部材２０に設けられた長穴２０ｃに押し込まれ、ロック部材２４が押し釦支持部材２０にスナップ止めされる（図７）。これにより、ロック部材２４は、ロック位置と非ロック位置の間で摺動可能に、押し釦支持部材２０に取り付けられる。
【００３１】
一方、シャワー吐水用押し釦４及びスパウト吐水用押し釦６の各係合部４ｃ、６ｃは、ロック部材２４と係合されているため、各押し釦の回動可能範囲は所定の範囲に規制される。このため、偶発的な力により各押し釦が大きく回動され、水栓装置本体２の内部やビス２６が露出され、水栓装置の高級感が損なわれることはない。
【００３２】
次に、本発明の実施形態による水栓装置の作用を説明する。
まず、ロック部材２４のロック用つまみ２４ａを操作して、ロック部材２４を非ロック位置に摺動させる。この非ロック位置においては、ロック部材２４は、その各縦棒部２４ｃと、各押し釦の各係合部４ｃ、６ｃが整合しない位置に摺動されている。非ロック位置においては、各係合部４ｃ、６ｃの先端は、各縦棒部２４ｃの先端に形成された角度規制突起２４ｅの下方に位置する。従って、シャワー吐水用押し釦４及びスパウト吐水用押し釦６は何れも押圧操作可能な状態にされている。一方、各押し釦を引き上げる方向の回動は、各係合部４ｃ、６ｃの先端と角度規制突起２４ｅが夫々係合することにより、所定範囲に規制される。このため、シャワー吐水用押し釦４又はスパウト吐水用押し釦６に、偶発的にこれを引き上げる方向の力が作用した場合にも、各押し釦の回動は所定範囲に規制され、水栓装置本体２の内部が露出されることはない。
【００３３】
次に、図２に示す止水状態において、使用者がシャワー吐水用押し釦４を押圧操作すると、シャワー吐水用押し釦４は、シャフト４ａを中心に、図２における反時計回りに僅かに回動される。これにより、シャワー吐水用押し釦４背面の当接部４ｂの先端は、プッシャー２２の当接面２２ａを押圧する。プッシャー２２は、当接面２２ａが押圧されると、ガイド円筒２０ａにガイドされながら、その中心軸線の方向に平行移動される。
【００３４】
プッシャー２２が移動されると、プッシャー２２の後端面に当接されている開閉バルブユニット１６の操作部１６ａが押圧され、操作部１６ａは、その中心軸線の方向に一旦わずかに後退される。これにより、開閉バルブユニット１６は内部のロック機構（図示せず）が解除され、内蔵されたコイルバネ（図示せず）により操作部１６ａがその中心軸線の方向に突出されると共に、開閉バルブユニット１６は開状態に切り換えられる。
【００３５】
開閉バルブユニット１６が開状態に切り換えられると、操作部１６ａは、開閉バルブユニット１６に内蔵されたコイルバネ（図示せず）により中心軸線の方向に突出される。これにより、プッシャー２２も突出する方向に平行移動され、プッシャー２２によって押されたシャワー吐水用押し釦４は、図２における時計回りに回動されて、図３に示す状態まで押し上げられる。
【００３６】
開閉バルブユニット１６が開状態に切り換えられると、水栓装置本体２内に流入した湯及び水は、サーモユニット８ａ、流量調整弁（図示せず）を通って、開閉バルブユニット１６の後部側面から開閉バルブユニット１６内に流入し、後端面から流出する。開閉バルブユニット１６の後端面から流出した湯水は、水栓装置本体２側面に設けられたシャワー吐水用吐水口１４から流出され、シャワーヘッド（図示せず）から吐出される。
【００３７】
吐水状態において、使用者がシャワー吐水用押し釦４を再度押圧操作すると、シャワー吐水用押し釦４の背面の当接部４ｂが、プッシャー２２を介して開閉バルブユニット１６の操作部１６ａを後退させる。これにより、操作部１６ａは、図２に示す位置に後退され、開閉バルブユニット１６は、閉状態（止水状態）に切り換えられる。ここではシャワー吐水用押し釦４を押圧した場合の作用を説明したが、同様に、スパウト吐水用押し釦６を操作した場合もスパウト吐水用の開閉バルブユニット（図示せず）が開閉され、スパウト吐水用吐水口１２からの吐水、止水が切り換えられる。
【００３８】
次に、図２に示す止水状態において、ロック部材２４をロック位置に摺動させる。このロック位置においては、ロック部材２４は、その各縦棒部２４ｃと、各押し釦の各係合部４ｃ、６ｃが整合する。これにより、各押し釦に設けられた各係合部４ｃ、６ｃの先端が、ロック部材２４の各係合部受け凹部２４ｄに受け入れられ、シャワー吐水用押し釦４及びスパウト吐水用押し釦６は、押し込む方向及び引き上げる方向の回動が規制される。このため、各押し釦の押圧操作は阻止され、又、偶発的な力により各押し釦が引き上げられることも防止される。
【００３９】
なお、図３に示す吐水状態においては、各押し釦に設けられた各係合部４ｃ、６ｃの先端と、ロック部材２４の各係合部受け凹部２４ｄが整合しないため、吐水状態においてロック部材２４をロック位置に摺動させることはできない。このため、吐水状態において、偶発的にロック部材２４がロック位置に摺動され、止水するための押圧操作ができなくなることはない。
【００４０】
本発明の実施形態の水栓装置によれば、押し釦支持部材に回動可能に取り付けられた押し釦の回動範囲をロック部材によって規制するので、押し釦によって覆われる部分の有効活用を可能にしながら、押し釦が大きく引き上げられることにより、水栓装置の内部が露出されるのを防止することができる。
【００４１】
また、本実施形態の水栓装置によれば、ロック部材を押し釦支持部材に取り付ける前に押し釦支持部材をビスで固定するので、押し釦によって覆われてしまう部分を活用して、押し釦支持部材を水栓装置本体に固定することができる。また、ビスの頭を押し釦によって覆うことにより、水栓装置の外観を向上させることができる。
【００４２】
さらに、本実施形態の水栓装置によれば、ロック部材を、押し釦の係合部と係合された状態で押し釦の回動方向に押し込むことにより、容易に、押し釦支持部材にスナップ止めすることができる。
また、本実施形態の水栓装置によれば、ロック部材を使用して、水栓装置の内部が露出されるのを防止すると共に、押し釦の誤操作を防止することができる。
【００４３】
以上、本発明の好ましい実施形態を説明したが、上述した実施形態に種々の変更を加えることができる。特に、上述した実施形態においては、角度規制部材が、押し釦の誤操作を防止するロック部材を兼ねていたが、角度規制部材にロック機能を持たせなくても良い。
【図面の簡単な説明】
【００４４】
【図１】本発明の実施形態による水栓装置全体を示す斜視図である。
【図２】本発明の実施形態による水栓装置の止水状態における断面図である。
【図３】本発明の実施形態による水栓装置の吐水状態における断面図である。
【図４】押し釦を水栓装置本体から取り外した状態を示す分解斜視図である。
【図５】ロック部材と押し釦の係合部の構成を示す斜視図である。
【図６】ロック部材を押し釦支持部材にスナップ止めする際の状態を示す斜視図である。
【図７】ロック部材がスナップ止めされた押し釦支持部材を、水栓装置本体から取り出した状態で示す斜視図である。
【符号の説明】
【００４５】
１        本発明の第１実施形態による水栓装置
２        水栓装置本体
２ａ      バルブ収容部
２ｂ      雌ねじ穴
４        シャワー吐水用押し釦
４ａ      シャフト
４ｂ      当接部
４ｃ      係合部
６        スパウト吐水用押し釦
６ｃ      係合部
８        温度設定用つまみ
８ａ      サーモユニット
１０      流量調整用つまみ
１２      スパウト吐水用吐水口
１４      シャワー吐水用吐水口
１６      開閉バルブユニット
１６ａ    操作部
１８      バルブ押さえ
２０      押し釦支持部材
２０ａ    ガイド円筒
２０ｂ    ガイド溝
２０ｃ    長穴
２０ｄ    固定用孔（取付部）
２２      プッシャー
２２ａ    当接面
２４      ロック部材（角度規制部材）
２４ａ    ロック用つまみ
２４ｂ    横棒部
２４ｃ    縦棒部
２４ｄ    係合部受け凹部
２４ｅ    角度規制突起
２４ｆ    スナップ止め突起
２６      ビス（固定手段）
【図１】
2009030315.tif 000003
【図２】
2009030315.tif 000004
【図３】
2009030315.tif 000005
【図４】
2009030315.tif 000006
【図５】
2009030315.tif 000007
【図６】
2009030315.tif 000008
【図７】
2009030315.tif 000009